(57)【特許請求の範囲】
【請求項１】
揺動選別体３のチャフシーブ３１等の目合調節を行なうとともに、その目合検知を揺動選別体３に取着したポテンショメータ８の検出片６０の回動によって行なうように構成した脱穀機において、
前記ポテンショメータ８を調節板６１に固定するとともに、前記揺動選別体３の側壁３ａにポテンショメータ８を仮支持可能に接合させる係合部３９を形成し、該係合部３９にポテンショメータ８を接合させた状態で調節板６１を揺動選別体３に回動調節可能に取付固定してなる脱穀機のポテンショメータ取付構造。
【請求項２】
脱穀機の機壁１ａに操作窓１７を開口し、該操作窓１７からポテンショメータ８の位置決め調節を行なうように構成した請求項１の脱穀機のポテンショメータ取付構造。
【発明の詳細な説明】
【０００１】
【発明の属する技術分野】
本発明は、チャフシーブ等の目合調節を行なう脱穀機のポテンショメータの取付構造に関する。
【０００２】
【従来の技術】
従来、揺動選別体のチャフシーブの目合調節を、駆動モータによって可動フィンを作動させて行なうようにした脱穀機は、可動フィンの作動量を揺動選別体に取付けたポテンショメータの検出片によって検知し、脱穀物の状況や量による篩選別を行なうように構成されている。そして前記ポテンショメータは揺動選別体の側壁に穿設した長孔を介して位置決め調節可能に取付固定していた。
【０００３】
【発明が解決しようとする課題】
しかし、前記のような従来の構成による脱穀機は、ポテンショメータを揺動選別体の側壁に対し位置決め調節して検知片の作動位置を設定する際に、揺動選別体を脱穀機内から機外に取り出して行なわねばならない煩雑さがあった。また、ポテンショメータの位置決めが長孔のみによって行なわれるため、検知片の回動中心の芯ずれを生じ易いこと、及びポテンショメータそのものを直接的に側壁に締着するので取付固定が面倒で且つ不安定になり易い等の問題があった。
【０００４】
【課題を解決するための手段】
前記従来の問題を解決するために本発明の脱穀機のポテンショメータ取付構造は、揺動選別体３のチャフシーブ３１等の目合調節を行なうとともに、その目合検知を揺動選別体３に取着したポテンショメータ８の検出片６０の回動によって行なうように構成した脱穀機において、
【０００５】
前記ポテンショメータ８を調節板６１に固定するとともに、揺動選別体３の側壁３ａにポテンショメータ８を仮支持可能に接合させる係合部３９を形成し、該係合部３９にポテンショメータ８を接合させた状態で調節板６１を揺動選別体３に回動調節可能に取付固定している。
【０００６】
また、脱穀機の機壁１ａに操作窓１７を開設し、該操作窓１７からポテンショメータ８の位置決め調節を行なうように構成したことを特徴としている。
【０００７】
【発明の実施の形態】
以下図面を参照して本発明の脱穀機のポテンショメータ取付構造の実施の形態につき説明する。
図１に示す１はコンバインに搭載可能な脱穀機であり、扱胴２ａを内装した扱室２と、処理胴２ｂを内装した処理室２ｃを前後方向に設け、これらの下方に脱穀物を受けて揺動選別する揺動選別体３を、左右の脱穀機壁１ａ間において、前後に配置した送風ファン５と排塵ファン５ａとで形成される選別風路中に従来の構成により前後に揺動運動可能に支持しているとともに、一番物を回収する一番樋２ｄと、補助選別風を送風する補助送風ファン２ｅと、二番物を回収して揺動選別体３に還元する二番樋２ｆ等を配置している。
【０００８】
前記揺動選別体３は、図３に示すように左右の側壁３ａを前後の側壁３ｂで方形状に枠組みした枠体３ｃ内に、前方から波形状の選別板３０とチャフシーブ３１を連続的に設け、このチャフシーブ３１の下方に選別網３２を設け、その後方に図示を省略した一番流板を介してストローラック３３を設けて選別構体を構成している。
【０００９】
そして左側の側壁３ａに設けた本発明のポテンショメータ取付構造としての目合検出装置６によって作動機構７（図２）で作動されるチャフシーブ３１の目合い作動量を検知するようにしている。
次に図２〜図５を参照してチャフシーブ３１、目合検出装置６及び作動機構７等の構造及び作用について説明する。
【００１０】
チャフシーブ３１は左右の側壁３ａ間に所定の漏下間隔を持たせて横向きに固定した、上向き傾斜のフィン３５を、前後方向に複数設けているとともに、前記漏下間隔を開閉可能に目合い調節する可動フィン３６を各フィン３５間に設けている。そしてこの可動フィン３６は、その両辺の上方を左右の側壁３ａに支軸３６ａを介して回動可能に軸支するとともに、この支軸３６ａに一体的に設けた支腕３６ｂに後述する作動板３７にスプリング（図示せず）によって下方付勢されて転接するローラ３８を設けている。
【００１１】
前記作動板３７は、その長さ方向の中央部に開口された長孔３７ａを、左側の側壁３ａに設けた前後のローラ６Ｒ，６Ｒに嵌挿させて前後移動可能に支持しているとともに、上辺部位に前記各ローラ３８を上下に転接移動させる下り勾配の斜面部３７ｂと上面部３７ｃとからなる凹凸状のガイド部３７ｄを複数形成し、前側下面には作動機構７のピニオンギヤ７０と噛合するラックギヤ３７ｅを形成し、且つ下辺の中央部には目合検出装置６の検出片６０を係合させる検知ピン３７Ｐを設けている。
【００１２】
また前記作動機構７は、前記ピニオンギヤ７０を有する減速機部を一体的に備えた駆動モータ７１を側壁３ａの内側で、選別板３０の下方の空間部位に取付けている。
【００１３】
そしてこの駆動モータ７１は運転席からオペレータが脱穀状況を認知して操作スイッチ（図示せず）を操作することにより、或いは揺動選別体３上の脱穀物の状況や量を適宜のセンサ機構で検知することにより、従来の装置と同様に脱穀物の量が多い場合、または脱穀物中の夾雑物が『多い場合』には、駆動モータ７１を正転させてピニオンギヤ７０、ラックギヤ３７ｅを介して作動板３７を図３の実線状態から後方（右側）に作動させ、ガイド部３７ｄによってローラ３８を下降するように案内し、それに伴って可動フィン３６を支軸３６ａを中心に下方に回動させて、チャフシーブ３１の目合を大きくし脱穀物の漏下を促進させて選別を適正に行なうように構成している。
【００１４】
また、揺動選別体３上の脱穀物が『少ない場合』には、上記と同様な操作作動手段によって駆動モータ７１を逆転させると、図示例のように可動フィン３６は目合を小さくする方向に作動してチャフシーブ３１からの脱穀物の漏下量を少なくすることができ、脱穀物量や夾雑物の程度に応じたチャフシーブ３１による篩選別を良好に行なうことができるものである。
【００１５】
そして、上記チャフシーブ３１の目合調節量の検知は、以下の構成による目合検出装置６によって行なうとともに、そのポテンショメータ８の位置決め調節等の操作も簡単に行なうことができるようにしている。
【００１６】
即ち、目合検出装置６は図２，図４，図５に示すように、ポテンショメータ８を調節板６１に取付ネジ６１Ｎによって取付固定した状態でこの調節板６１に穿設した孔からポテンショメータ軸８０を他側に突出させ、その軸端に前出の検出片６０をナットによって固定するとともに、このポテンショメータ８を揺動選別体３の側壁３ａに穿設した取付孔４０に嵌挿した状態で、調整板６１の両側にポテンショメータ軸８０を中心とする円弧状の長孔に穿設した調節孔６１ａ，６１ｂ内に調節ネジ６２を挿通して側壁３ａにネジ止めすることによって取付けている。  尚、検出片６０は従来のものと同様にポテンショメータ８内においてスプリング付勢されており検知ピンＰに常時押接追随するようにしている。
【００１７】
そしてこの際、前記取付孔４０にはポテンショメータ軸８０の軸芯中心に円形に形成されたポテンショメータ８の外円を嵌合させる係合部３９を円弧状に凹入形成し、この係合部３９内にポテンショメータ８を接合させるようにしていることにより、ポテンショメータ８の位置決め調節を行なうとき、ポテンショメータ８を係合部３９に接合させて仮支持状態にし、調節板６１を調節孔６１ａを介してポテンショメータ軸８０を中心に回動調節を簡単に行なうことができる。そして検知ピン３７ｐに対する検出片６０の接当位置の調節を正確に行うことができるので、精度の良くポテンショメータ８によるチャフシーブ３１の目合検知を行なうことができる。
【００１８】
尚、８１は作動機構７及び目合検出装置６、並びに図示しない前記操作作動手段や制御装置等を一連に接続しているハーネスである。
また、脱穀機１の穀粒収容タンク等が配置されていなく、外側方が広く開放されている左側の脱穀機壁１ａには、上記揺動選別体３に装着された目合検出装置６が対向する部位にポテンショメータ８の位置決め調節操作を行なうことができる操作窓１７（図５）を開口しており、ポテンショメータ８の前記調節操作をこの操作窓１７から手を差し込んで行なうことにより、揺動選別体３を機外に取出して行なうことなく脱穀機１の広い側の外側から簡単に行なうことができるものである。
【００１９】
以上のように構成した脱穀機は、前述したように作動機構７と目合検出装置６との作動によって脱穀作業時の脱穀物の状況に適応したチャフシーブ３１の目合調節を適切に行なって篩選別を良好に行なうことができる。
【００２０】
そして上記目合検出装置６は、ポテンショメータ８が調節板６１に固定されている状態において、検出片６０と検知ピン３７ｐとの係合調節を行なう際には、調節ネジ６２を緩めた状態でポテンショメータ８の外周を取付孔４０に凹入形成した係合部３９内に接合させると、調節板６１は該係合部３９を仮支持支点として回動調節し適正位置に位置決めし調節ネジ６２で簡単且つ的確に固定することができる。従って、目合検出装置６は検出片６０と検知ピン３７ｐとの適正な係合を行なうことができて、精度のよいチャフシーブ３１の目合いの検知を行なうことができるので、選別性能のよい良好な脱穀作業が可能な脱穀機を提供することができるものである。
【００２１】
また、目合検出装置６の位置決め固定は、揺動選別体３を機外に取出すことなく脱穀機壁１ａに開口した操作窓１７から行なうことができるので作業を能率よく簡単に行なうことができる等の特徴がある。
【００２２】
【発明の効果】
以上の説明から明らかなように、本発明による脱穀機のポテンショメータ取付構造は、ポテンショメータ８を揺動選別体３に取付固定するとき、この揺動選別体３の側壁３ａに形成した係合部３９にポテンショメータ８を接合して調節板６１を固定することによって検出片６０を適正位置に位置決めすることができるので、ポテンショメータ８の位置決め調節を正確、且つ簡単に行なうことができるとともに安定よく固定することができる。
【００２３】
また、上記の作業はポテンショメータ８の側方に開口した脱穀機壁１ａの操作窓１７から行なうようにしたことにより、従来のもののように揺動選別体３を機外に取外すことなく機体の外側から簡単に能率よく行なうことができる。
【図面の簡単な説明】
【図１】本発明に係る装置を備えた脱穀機の側断面図。
【図２】揺動選別体の要部拡大図である。
【図３】揺動選別体の平面図である。
【図４】目合検出装置の側面図である。
【図５】図４のＡ−Ａ断面図である。
【符号の説明】
１  脱穀機                            １ａ  脱穀機壁（機壁）
３  揺動選別体                        ６  目合検出装置
７  作動機構                          ８  ポテンショメータ
１７  操作窓                          ３１  チャフシーブ
３９  係合部                          ６０  検出片
６１  調節板
【図１】
0003953629.tif 000002
【図２】
0003953629.tif 000003
【図３】
0003953629.tif 000004
【図４】
0003953629.tif 000005
【図５】
0003953629.tif 000006